(57)【要約】【課題】組み付け精度に関わらず、情報の表示精度を確保できる表示装置を提供する。【解決手段】光を発する発光部４０、５０と、発光部４０、５０からの光を円偏光させる光源側偏光部と、光源側偏光部にて円偏光された光を直線偏光へと変換して通過させる偏光変換部１２０と、偏光変換部１２０にて変換された直線偏光の通過を遮断する遮断部２１、３１と、発光部４０、５０からの光が透過することで情報を提示する情報提示部２２、３２とを有した表示部１０と、を備えて表示装置を構成する。【選択図】図３
2019211631.tif 000002
【特許請求の範囲】
【請求項１】
光を発する発光部と、
前記発光部からの光を円偏光させる光源側偏光部と、
前記光源側偏光部にて円偏光された光を直線偏光へと変換して通過させる偏光変換部と、
前記偏光変換部にて変換された直線偏光の通過を遮断する遮断部と、前記発光部からの光が透過することで情報を提示する情報提示部とを有した表示部と、
を備えた、表示装置。
【請求項２】
前記光源側偏光部は、
前記第１の方向を偏光軸の方向とした直線偏光を透過する第１光源側偏光板と、
前記第１の方向とは異なる方向である第２の方向を偏光軸の方向とした直線偏光を透過する第２光源側偏光板と、
前記直線偏光を円偏光へと変換する光源側位相差板と、を有し、
前記表示部は、
前記第１の方向を偏光軸の方向とした直線偏光の透過を遮断する第１遮断部と、第１の情報を提示する第１情報提示部とを有した第１表示側偏光板と、
前記第２の方向を偏光軸の方向とした直線偏光の透過を遮断する第２遮断部と、第２の情報を提示する第２情報提示部とを有した第２表示側偏光板と、を有する
請求項１に記載の表示装置。
【請求項３】
前記第１の方向と前記第２の方向とは、直交する、請求項２に記載の表示装置。
【請求項４】
前記偏光変換部、及び前記光源側位相差板は、直線偏光成分の位相差をλ／４付与する位相差板である、請求項２又は３に記載の表示装置。
【請求項５】
前記発光部は、前記第１光源側偏光板に向けて光を発する第１発光部と、前記第２光源側偏光板に向けて光を発する第２発光部と、を有し、
前記第１発光部及び前記第２発光部の点灯、消灯を切り替える制御部を備える、請求項２から請求項４のいずれか１項に記載の表示装置。
【請求項６】
前記第１情報提示部と前記第２情報提示部は、前記第１情報提示部と前記第２情報提示部との一部分が重複するように設けられている、請求項２から請求項５のいずれか１項に記載の表示装置。
【請求項７】
前記表示部の情報提示側に、光を拡散する拡散部を備える、請求項１から請求項６のいずれか１項に記載の表示装置。
【発明の詳細な説明】
【技術分野】
【０００１】
本発明は、表示装置に関する。
【背景技術】
【０００２】
従来の技術として、隔壁で仕切られたケースに配置され、光を発光する２つの光源と、各光源からの光の各々を互いに直交する偏光方向の光として通過する２つの光源側偏光板と、各光源側偏光板を通過した光の各々の偏光方向を有する偏光板にて形成され、提示する情報として模様を形成する情報呈示板とを備え、発光する光を切り替えることで提示する情報を切り替える表示切替装置が知られている（例えば、特許文献１参照）。
【先行技術文献】
【特許文献】
【０００３】
【特許文献１】実公昭６１−２５００２号公報
【発明の概要】
【発明が解決しようとする課題】
【０００４】
しかし、特許文献１の表示切替装置においては、光源側偏光板の偏光軸と情報提示部側の偏光板の偏光軸との間にずれが生じると、提示される情報の表示精度が低下する。すなわち、光源側偏光板の偏光軸と情報提示部の偏光板の偏光軸を正確に合わせる必要があり、高い組み付け精度が要求されるという問題があった。
【０００５】
したがって、本発明の目的は、組み付け精度に関わらず、情報の表示精度を確保できる表示装置を提供することにある。
【課題を解決するための手段】
【０００６】
［１］上記目的を達成するため、光を発する発光部と、前記発光部からの光を円偏光させる光源側偏光部と、前記光源側偏光部にて円偏光された光を直線偏光へと変換して通過させる偏光変換部と、前記偏光変換部にて変換された直線偏光の通過を遮断する遮断部と、前記発光部からの光が透過することで情報を提示する情報提示部とを有した表示部と、を備えた、表示装置を提供する。
［２］前記光源側偏光部は、前記第１の方向を偏光軸の方向とした直線偏光を透過する第１光源側偏光板と、前記第１の方向とは異なる方向である第２の方向を偏光軸の方向とした直線偏光を透過する第２光源側偏光板と、前記直線偏光を円偏光へと変換する光源側位相差板と、を有し、前記表示部は、前記第１の方向を偏光軸の方向とした直線偏光の透過を遮断する第１遮断部と、第１の情報を提示する第１情報提示部とを有した第１表示側偏光板と、前記第２の方向を偏光軸の方向とした直線偏光の透過を遮断する第２遮断部と、第２の情報を提示する第２情報提示部とを有した第２表示側偏光板と、を有する、上記［１］に記載の表示装置であってもよい。
［３］また、前記第１の方向と前記第２の方向とは、直交する、上記［２］に記載の表示装置であってもよい。
［４］また、前記偏光変換部、及び前記光源側位相差板は、直線偏光成分の位相差をλ／４付与する位相差板である、上記［２］又は［３］に記載の表示装置であってもよい。
［５］また、前記発光部は、前記第１光源側偏光板に向けて光を発する第１発光部と、前記第２光源側偏光板に向けて光を発する第２発光部と、を有し、前記第１発光部及び前記第２発光部の点灯、消灯を切り替える制御部を備える、上記［２］から［４］のいずれか１に記載の表示装置であってもよい。
［６］また、前記第１情報提示部と前記第２情報提示部は、前記第１情報提示部と前記第２情報提示部との一部分が重複するように設けられている、上記［２］から［５］のいずれか１に記載の表示装置であってもよい。
［７］また、前記表示部の情報提示側に、光を拡散する拡散部を備える、上記［１］から［６］のいずれか１に記載の表示装置であってもよい。
【発明の効果】
【０００７】
本発明の表示装置によれば、組み付け精度に関わらず、情報の表示精度を確保できる。
【図面の簡単な説明】
【０００８】
【図１】図１（ａ）は、本発明の実施の形態に係る表示装置の上平面図であり、図１（ｂ）は、図１（ａ）のＡ−Ａ断面を示す断面図である。
【図２】図２（ａ）は、本発明の実施の形態における第１情報提示部の上平面図、図２（ｂ）は、図２（ａ）の断面図、図２（ｃ）は、第２情報提示部の上平面図、図２（ｄ）は、図２（ｃ）の断面図である。
【図３】図３は、本発明の実施の形態に係る表示装置の表示部、光源部、表示部と光源部の間における偏光状態を示す図である。
【図４】図４（ａ）は、第１発光部を発光させた場合に第１表示マーク部が表示される状態を示す上平面図であり、図４（ｂ）は、第１発光部から照射した光の経路を示す断面図である。
【図５】図５（ａ）は、第２発光部を発光させた場合に第２表示マーク部が表示される状態を示す上平面図であり、図５（ｂ）は、第２発光部から照射した光の経路を示す断面図である。
【発明を実施するための形態】
【０００９】
（本発明の実施の形態）
本発明の実施の形態に係る表示装置１は、光を発する発光部４０、５０と、発光部４０、５０からの光を円偏光させる光源側偏光部と、光源側偏光部にて円偏光された光を直線偏光へと変換して通過させる偏光変換部１２０と、偏光変換部１２０にて変換された直線偏光の通過を遮断する遮断部２１、３１と、発光部４０、５０からの光が透過することで情報を提示する情報提示部２２、３２とを有した表示部１０と、を備えて構成されている。
【００１０】
具体的な構成として、表示部１０は、第１の方向２４を偏光軸の方向とした直線偏光成分を透過する第１遮断部２１と、第１の情報を提示する第１情報提示部２２とを有した第１表示側偏光板２０と、第１の方向２４とは異なる第２の方向３４を偏光軸の方向とした直線偏光成分を透過する第２遮断部３１と、第２の情報を提示する第２情報提示部３２とを有した第２表示側偏光板３０と、を備えている。図１（ｂ）に示すように、偏光変換部１２０を表示部１０に一体化してもよい。
【００１１】
また、光源側偏光部は、第１の方向２４を偏光軸の方向とした直線偏光成分を透過する第１光源側偏光板４５と、第１光源側偏光板４５を透過した直線偏光成分の偏光方向を偏光させる第１光源側位相差板１１０と、第２の方向３４を偏光軸の方向とした直線偏光成分を透過する第２光源側偏光板５５と、第２光源側偏光板５５を透過した直線偏光成分の偏光方向を偏光させる第２光源側位相差板１１５と、を備え、発光部は、第１光源側偏光板４５に光を照射する第１発光部４０と、第２光源側偏光板５５に光を照射する第２発光部５０と、を備えて構成されている。
【００１２】
（表示部１０）
表示部１０は、図１（ａ）、（ｂ）に示すように、押圧操作が行われるノブ部１１と、ノブ部１１に装着される拡散板１５、第１表示側偏光板２０、第２表示側偏光板３０、及びこれらを収容する凹部である収容部１２を備えている。ノブ部１１は、例えば、樹脂で形成され、スモーク仕様とされている。また、拡散板１５は、表示部１０の情報提示側に、光を拡散する拡散部として機能する。
【００１３】
表示部１０は、図１（ａ）、（ｂ）に示すように、操作（押圧操作）する側から見ると、その表示面１３は、押圧操作するための表示面である。また、本実施の形態に係る表示装置をスイッチ等に適用する場合には、スイッチ等の情報を提示あるいは表示するための表示面となる。
【００１４】
表示面１３には、図１（ａ）に示すように、表示領域がいくつかの領域に区分されて、マーク、文字等の図形が提示、表示される。以下では、マーク、文字等の図形の提示の一形態として、マーク、文字等の図形の表示として説明する。
【００１５】
表示面１３に表示されるマーク、文字等の図形は、後述する第１表示側偏光板２０、第２表示側偏光板３０に形成されたそれぞれの偏光部と透過部との組み合わせにより、後述する第１発光部４０と第２発光部５０の発光切り替え制御に基づいて、表示される。なお、この表示は、上記した拡散板１５を通して表示されることにより均一な光で照明表示されるが、拡散板１５のない構成であってもよい。また、ノブ部１１は、スモーク仕様とされているので、第１発光部４０等により照明表示されていないときは、ブラックアウトした状態である。
【００１６】
図１（ａ）に示すように、共通部１０１は、第１発光部４０と第２発光部５０の両方の光を透過して表示する領域、すなわち、後述する偏光部の各々における偏光方向が解除され、提示すべき情報が現された提示部である。この共通部１０１は、第１表示側偏光板２０と第２表示側偏光板３０の一部分が重複するように設けられており、第１発光部４０の発光による表示と第２発光部５０の発光による表示において、共通に表示される領域である。
【００１７】
第１領域１０２は、第１発光部４０からの光のみが透過し、第２発光部５０からの光は透過しない領域、すなわち、対応する偏光方向を有した偏光部である。図１（ａ）において、横方向のハッチングで示す領域である。また、第２領域１０３は、第２発光部５０からの光のみが透過し、第１発光部４０からの光は透過しない領域、すなわち、対応する偏光方向を有した偏光部である。図１（ａ）において、縦方向のハッチングで示す領域である。また、非表示領域１０４は、第１発光部４０及び第２発光部５０のどちらからの光も透過しない領域である。図１（ａ）において、縦横方向のクロスハッチングで示す領域である。なお、さらに外側の枠部１０５も非表示領域である。
【００１８】
表示面１３には、上記示した共通部１０１、第１領域１０２、第２領域１０３、及び非表示領域１０４の組み合わせにより形成される所定のマーク、文字等の図形が表示される。なお、光の透過、不透過は、所定のマーク、文字等の図形が表示される程度であればよく、透過率が１００％、不透過率が１００％である必要はない。また、枠部１０５は、第１表示側偏光板２０又は第２表示側偏光板３０の対応する領域に例えば黒塗装等により不透過領域が形成されていてもよい。
【００１９】
図１（ｂ）に示すように、表示部１０は、表示部１０の下部がホルダ６０に一体的に固定されている。
【００２０】
ホルダ６０は、例えば、筒状に形成されている。ホルダ６０の外周部６１は、筒状のケース７０の内周部７１とスライド可能に嵌合している。ホルダ６０の筒状の内部は、第１発光部４０からの光、第２発光部５０からの光が通過できるように空間部が形成されている。表示部１０が固定されたホルダ６０は、図１（ａ）、（ｂ）に示す搭載軸ＣＬを基準にして、ケース７０、すなわち、光源側偏光部、発光部に対して組み付けられる。
【００２１】
（第１表示側偏光板２０）
第１表示側偏光板２０は、板状の偏光板で形成され、提示フィルタとして機能する。この第１表示側偏光板２０は、例えば、偏光機能を有する偏光層の上下をそれぞれ保護する保護フイルムで挟んだ偏光板である。偏光層は、例えば、ＰＶＡ（ポリビニルアルコール）層を形成し、ヨウ素色素を吸着させてホウ酸架橋を行なう。乾燥、安定後に、ＰＶＡ層を延伸してヨウ素色素を配向させて偏光性を発現させる。
【００２２】
上記したヨウ素色素は、第１の偏光方向２４と直交する吸収軸３４の方向に延伸されている。この吸収軸３４に平行な偏光成分を持つ光は反射又は吸収されてＰＶＡ層を透過しない。一方、吸収軸３４に垂直な偏光成分を持つ光、すなわち、第１の偏光方向２４の光は透過する。
【００２３】
図２（ａ）に示すように、第１表示側偏光板２０は、色素を延伸させて偏光機能を有する第１の偏光方向２４を備える。この第１の偏光方向２４は透過軸であって、色素の延伸方向と直交する。この第１の偏光方向２４と同じ方向に直線偏光された光は、透過する。また、この第１の偏光方向２４と直交する方向は図示する吸収軸３４であって、この方向に直線偏光された光は、吸収されて透過しない。
【００２４】
ここで、図２（ａ）に示す第１情報提示部２２は、ＰＶＡ層のヨウ素色素をレーザ照射等により昇華させて消失させている領域である。これにより、第１情報提示部２２は、偏光機能を有さず、偏光状態によらずに光を透過させることができる。
【００２５】
第１表示側偏光板２０は、図２（ａ）、（ｂ）に示すように、第１の偏光方向２４に偏光された直線偏光の光を透過する第１遮断部２１と、偏光状態によらずに光を透過させる第１情報提示部２２の領域を有して構成されている。したがって、第１表示側偏光板２０は、提示フィルタとして機能する。この第１遮断部２１と第１情報提示部２２の形状は、後述する第２表示側偏光板３０との組み合わせにより、所定のマーク、文字等の図形を表示することができる。本実施の形態では、第１表示側偏光板２０の表示は、図２（ａ）に示すように、×マークである。
【００２６】
（第２表示側偏光板３０）
第２表示側偏光板３０も、第１表示側偏光板２０と同様の構成により、板状の偏光板で形成され、提示フィルタとして機能する。第２表示側偏光板３０は、表示部１０において第１表示側偏光板２０と一部分が重複するように設けられ、第１の偏光方向２４とは異なる第２の偏光方向３４を有する光が照射されるように構成されている。ここで、第１の偏光方向２４と第２の偏光方向３４は、直交する。
【００２７】
第２表示側偏光板３０は、図２（ｃ）、（ｄ）に示すように、第２の偏光方向３４に偏光された直線偏光の光が透過する第２遮断部３１と、偏光状態によらずに光を透過させる第２情報提示部３２の領域を有して構成されている。したがって、第２表示側偏光板３０は、提示フィルタとして機能する。この第２遮断部３１と第２情報提示部３２の形状は、上記した第１表示側偏光板２０との組み合わせにより、所定のマーク、文字等の図形を表示することができる。本実施の形態では、第２表示側偏光板３０の表示は、図２（ｃ）に示すように、○マークである。
【００２８】
（偏光変換部１２０）
図１（ｂ）に示すように、表示部１０において、第１の偏光ＬＡ２及び第２の偏光ＬＢ２が入射する入射側には、偏光変換部として、直線偏光成分の位相差をλ／４付与する位相差層が配置されている。具体的には、偏光変換部は、直線偏光成分の位相差をλ／４付与する位相差板（１／４位相差板）である。
【００２９】
１／４位相差板（１／４波長板）は、入射光の電界振動方向（偏光面）にπ／２（＝λ／４）の位相差を与える。入射光の偏光面が波長板の高速軸（或いは低速軸）に対して４５°の方位角で入射した時に、直線偏光を円偏光の状態に変えることができる。また可逆的に、円偏光を直線偏光の状態に変えることもできる。
【００３０】
本実施の形態では、図３に示すように、第１の偏光ＬＡ２（円偏光）を直線偏光ＬＡ３、第２の偏光ＬＢ２（円偏光）を直線偏光ＬＢ３に変換する。
【００３１】
（第１発光部）
第１発光部４０は、例えば、ＬＥＤ光が使用できる。本実施の形態では、第１発光部４０としてＬＥＤ光源を使用し、出射部に第１光源側偏光板４５を配置している。
【００３２】
図１（ｂ）に示すように、第１発光部４０の出射部側には、第１光源側偏光板４５が配置されている。この第１光源側偏光板４５は、第１発光部４０から出射される光のうち、第１の偏光方向２４の光だけを透過させる。これにより、第１発光部４０から出射した光は、図３に示すように、第１の偏光方向２４に偏光した直線偏光の光ＬＡ１となっている。
【００３３】
（第２発光部）
第２発光部５０も同様に、ＬＥＤ光が使用でき、本実施の形態では、第２発光部５０としてＬＥＤ光源を使用し、出射部に第２光源側偏光板５５を配置している。
【００３４】
図１（ｂ）に示すように、第２発光部５０の出射部側には、第２光源側偏光板５５が配置されている。この第２光源側偏光板５５は、第２発光部５０から出射される光のうち、第２の偏光方向３４の光だけを透過させる。これにより、第２発光部５０から出射した光は、図３に示すように、第２の偏光方向３４に偏光した直線偏光の光ＬＢ１となっている。
【００３５】
図３に示すように、直線偏光の光ＬＡ１と直線偏光の光ＬＢ１とは直交する。
【００３６】
（第１光源側位相差板１１０）
図１（ｂ）、図３に示すように、第１光源側偏光板４５を透過した直線偏光成分の偏光ＬＡ１を円偏光させる第１光源側位相差板１１０が、第１光源側偏光板４５の出射側に配置されている。この第１光源側位相差板１１０により、直線偏光ＬＡ１は、図３に示すように、円偏光ＬＡ２に変換される。
【００３７】
（第２光源側位相差板１１５）
同様に、図１（ｂ）、図３に示すように、第２光源側偏光板５５を透過した直線偏光成分の偏光ＬＢ１を円偏光させる第２光源側位相差板１１５が、第２光源側偏光板５５の出射側に配置されている。この第２光源側位相差板１１５により、直線偏光ＬＢ１は、図３に示すように、円偏光ＬＢ２に変換される。
【００３８】
第１光源側位相差板１１０、第２光源側位相差板１１５は、直線偏光成分の位相差をλ／４付与する位相差層であり、例えば、１／４位相差板、１／４位相差フイルム等である。
【００３９】
１／４位相差板（１／４波長板）は、入射光の電界振動方向（偏光面）にπ／２（＝λ／４）の位相差を与える。入射光の偏光面が波長板の高速軸（或いは低速軸）に対して４５°の方位角で入射した時に、直線偏光を円偏光の状態に変えることができる。また可逆的に、円偏光を直線偏光の状態に変えることもできる。
【００４０】
上記示した本実施の形態に係る表示装置の表示部、光源部、表示部と光源部の間における偏光状態を示すと、図３のようになる。
【００４１】
第１発光部４０から出射された光は、第１光源側偏光板４５により、第１の偏光方向２４に偏光した直線偏光の光ＬＡ１となる。この直線偏光ＬＡ１は、第１光源側位相差板１１０により円偏光ＬＡ２に変換される。円偏光ＬＡ２は、偏光変換部１２０により直線偏光ＬＡ３に変換される。この直線偏光ＬＡ３は、図３に示すように、第２の偏光方向３４に偏光した直線偏光の光である。
【００４２】
一方、第２発光部５０から出射された光は、第２光源側偏光板５５により、第２の偏光方向３４に偏光した直線偏光の光ＬＢ１となる。この直線偏光ＬＢ１は、第２光源側位相差板１１５により円偏光ＬＢ２に変換される。円偏光ＬＢ２は、偏光変換部１２０により直線偏光ＬＢ３に変換される。この直線偏光ＬＢ３は、図３に示すように、第１の偏光方向２４に偏光した直線偏光の光である。
【００４３】
上記説明したように、光源側偏光部と表示側機構（偏光部と表示部とを含む構成）との間を、円偏光された光ＬＡ２、ＬＢ２で伝達するため、光源側機構と表示側機構との組み付けに、高い精度を要求されない。
【００４４】
すなわち、図１（ｂ）で示す、ケース７０の搭載軸ＣＬに対しての表示部１０（第１表示側偏光板２０、第２表示側偏光板３０、偏光変換部１２０）の軸ずれ、回転ずれ等の組み付け精度、また、ケース７０の搭載軸ＣＬに対しての基板９５（第１発光部４０、第２発光部５０、第１光源側偏光板４５、第２光源側偏光板５５、第１光源側位相差板１１０、第２光源側位相差板１１５）の軸ずれ、回転ずれ等の組み付け精度は、高い精度を要求されない。
【００４５】
（第１表示マーク部の表示）
第１発光部４０を発光させると、第１発光部４０から第１光源側偏光板４５を通して第１の偏光方向２４に偏光方向を有する光が出射される。この光は、上記説明した所定の光として、第１表示側偏光板２０及び第２表示側偏光板３０に照射される。この所定の光は、図３で示す第２の偏光方向３４に偏光方向を有する直線偏光の光ＬＡ３である。この直線偏光の光ＬＡ３は、第１表示側偏光板２０の第１情報提示部２２、及び、第２表示側偏光板３０の全領域を透過する。したがって、図１（ａ）、図４（ａ）で示した共通部１０１と第１領域１０２を合わせた第１表示マーク部２５が表示される。第１表示マーク部２５以外の領域は、図１（ａ）、図４（ａ）で示した第２領域１０３と非表示領域１０４と枠部１０５を合わせた第１非表示マーク部２６として表示されない、すなわち、ブラックアウトの状態となる。
【００４６】
（第２表示マーク部の表示）
第２発光部５０を発光させると、第２発光部５０から第２光源側偏光板５５を通して第２の偏光方向３４に偏光方向を有する光が出射される。この光は、上記説明した所定の光として、第１表示側偏光板２０及び第２表示側偏光板３０に照射される。この所定の光は、図３で示す第１の偏光方向２４に偏光方向を有する直線偏光の光ＬＢ３である。この直線偏光の光ＬＢ３は、第１表示側偏光板２０の全領域、及び、第２表示側偏光板２０の第２情報提示部３２を透過する。したがって、図１（ａ）、図５（ａ）で示した共通部１０１と第２領域１０３を合わせた第２表示マーク部３５が表示される。第２表示マーク部３５以外の領域は、図１（ａ）、図５（ａ）で示した第１領域１０２と非表示領域１０４と枠部１０５を合わせた第２非表示マーク部３６として表示されない、すなわち、ブラックアウトの状態となる。
【００４７】
（実施の形態の効果）
本発明の実施の形態によれば、以下のような効果を有する。
（１）本実施の形態に係る表示装置１は、光を発する発光部４０、５０と、発光部４０、５０からの光を円偏光させる光源側偏光部と、光源側偏光部にて円偏光された光を直線偏光へと変換して通過させる偏光変換部１２０と、偏光変換部１２０にて変換された直線偏光の通過を遮断する遮断部２１、３１と、発光部４０、５０からの光が透過することで情報を提示する情報提示部２２、３２とを有した表示部１０と、を備えて構成されている。本実施の形態では、図３で説明したように、光源側偏光部と表示側機構（偏光部と表示部とを含む構成）との間を、円偏光された光ＬＡ２、ＬＢ２で伝達するため、光源側機構と表示側機構との組み付けに、高い精度を要求されない。これにより、組み付け精度に関わらず、光漏れや輝度減衰を少なくできる。更には、実施形態における表示装置１によれば、組付け精度に関わらず、情報の表示精度を確保できる。
（２）光源側位相差板１１０、１１５は透過光を円偏光し、表示側機構側では、入射する円偏光された光の回転方向に応じて遮光、透過するため、光源側機構と表示側機構の搭載軸ＣＬがずれても光漏れや輝度減衰が少ない。従って軸ずれの許容範囲が大きくなり、組み付けコストが低減される効果を有する。
【００４８】
以上、本発明のいくつかの実施の形態及び変形例を説明したが、これらの実施の形態及び変形例は、一例に過ぎず、特許請求の範囲に係る発明を限定するものではない。また、これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００４９】
１…表示装置、１０…表示部、１１…ノブ部、１２…収容部、１３…表示面、１５…拡散板、２０…第１表示側偏光板、２１…第１遮断部、２２…第１情報提示部、２４…第１の偏光方向、２５…第１表示マーク部、２６…第１非表示マーク部、３０…第２表示側偏光板、３１…第２遮断部、３２…第２情報提示部、３４…第２の偏光方向、３５…第２表示マーク部、３６…第２非表示マーク部、４０…第１発光部、４５…第１光源側偏光板、５０…第２発光部、５５…第２光源側偏光板、６０…ホルダ、６１…外周部、７０…ケース、７１…内周部、９５…基板、１０１…共通部、１０２…第１領域、１０３…第２領域、１０４…非表示領域、１０５…枠部、１１０…第１光源側位相差板、１１５…第２光源側位相差板、１２０…偏光変換部、ＣＬ…搭載軸
【図１】
2019211631.tif 000003
【図２】
2019211631.tif 000004
【図３】
2019211631.tif 000005
【図４】
2019211631.tif 000006
【図５】
2019211631.tif 000007